(57)【要約】【課題】簡易な設計で表示画面の色再現性を最適に調整し、かつ表示画面の色むらを低減できるようにする。【解決手段】バックライトユニットでは、白色ＬＥＤ１１ａの間に補正用ＬＥＤ１１ｂが配置される。白色ＬＥＤ１１ａは、単体で白色を発光するＬＥＤであってもよく、またＲＧＢ３色の単色ＬＥＤの集まりであってもよい。補正用ＬＥＤ１１ｂは、白色ＬＥＤ１１ａの分光特性を効果的に補正できるように、特定の発光波長域をもつＬＥＤを使用する。例えば、Ｒ，Ｇ，Ｂのいずれかに対応するＬＥＤであってもよく、またＭｇ，Ｙｅ，Ｃｙのいずれかに対応するＬＥＤであってもよく、これらを組み合わせたものであってもよい。このような構成により、白色ＬＥＤの分光特性を補正用ＬＥＤの発光により補正し、最適な色再現性が得られる分光特性をもった照明光をバックライトユニットから出射させることができる。【選択図】図３
2008097896.tif 000002
【特許請求の範囲】
【請求項１】
白色発光体から発光された光により液晶パネルを背面から照明するバックライトユニットにおいて、該バックライトユニットは、前記白色発光体から発光される白色光の分光特性を補正するための補正用発光体を備えたことを特徴とするバックライトユニット。
【請求項２】
請求項１に記載のバックライトユニットにおいて、前記補正用発光体は、Ｒ（red），Ｇ(green)，Ｂ（blue），Ｍｇ（magenta），Ｙｅ（yellow），Ｃｙ（cyan）のうちの１または複数を発光する発光体であることを特徴とするバックライトユニット。
【請求項３】
請求項１に記載のバックライトユニットにおいて、前記補正用発光体は、該バックライトユニットに配置された複数の白色発光体の間に配置されていることを特徴とするバックライトユニット。
【請求項４】
請求項３に記載のバックライトユニットにおいて、前記複数の白色発光体は、縦列及び横列よりなるマトリックス状に配置され、縦列及び／または横列において、前記白色発光体と前記補正用発光体とが交互に配置されていることを特徴とするバックライトユニット。
【請求項５】
請求項１に記載のバックライトユニットにおいて、該バックライトユニットの点灯時の温度分布に基づいて該補正用発光体の設置密度を異ならせたことを特徴とするバックライトユニット。
【請求項６】
請求項５に記載のバックライトユニットにおいて、前記バックライトユニットの設置時に下方となる領域から上方となる領域に向かって、前記補正用発光体の設置密度が段階的にもしくは漸次増加することを特徴とするバックライトユニット。
【請求項７】
請求項１に記載のバックライトユニットにおいて、該バックライトユニットの点灯時の温度分布に応じて、複数の前記補正発光体のうち点灯する補正用発光体を選択することを特徴とするバックライトユニット。
【請求項８】
請求項１に記載のバックライトユニットにおいて、該バックライト周囲の温度を計測するための温度センサを有し、該温度センサによる計測温度に従って、複数の前記補正発光体のうち点灯する補正用発光体を選択することを特徴とするバックライトユニット。
【請求項９】
請求項１ないし８のいずれか１に記載のバックライトユニットにおいて、前記白色発光体及び前記補正用発光体は、ＬＥＤであることを特徴とするバックライトユニット。
【請求項１０】
請求項１ないし９のいずれか１に記載のバックライトユニットと、該バックライトユニットにより照明される液晶パネルとを備え、該液晶パネルにより前記バックライトユニットによる照明光を変調することにより画像表示を行うことを特徴とする画像表示装置。
【発明の詳細な説明】
【技術分野】
【０００１】
本発明は、バックライトユニット及び該ユニットを備える画像表示装置に関し、より具体的には、液晶パネル等の光変調素子を照明する素子としてＬＥＤ等の発光体を使用したバックライトユニットと、そのバックライトユニットを使用して画像表示を行う画像表示装置に関する。
【背景技術】
【０００２】
液晶パネルなどの光変調素子を背面から照明するバックライトとして、ＬＥＤバックライトが注目されている。ＬＥＤバックライトには、白色ＬＥＤを配列して白色光の照明光を発光する構成のものや、Ｒ（赤），Ｇ（緑），Ｂ（青）の３色のＬＥＤを配列し、これらの３色の光を混色して白色光とする構成のものがある。
白色ＬＥＤには、短波長ＬＥＤに蛍光体を組み合わせて白色を得る方式のものや、青色ＬＥＤに蛍光体を組み合わせて白色を得る方式、あるいは青色ＬＥＤに黄色の蛍光体を組み合わせて白色を得る方式のもの等がある。
【０００３】
このようなＬＥＤを利用したバックライトは、従来一般的な冷陰極管（ＣＣＦＬ）等の蛍光管を利用したバックライトに比較して、いくつかの特徴的な利点が得られている。
例えば、従来バックライトとして使用されていた蛍光管は、点灯するときに高い電圧を必要とし、また蛍光管の点灯・消灯を煩雑に繰り返すとその寿命が短くなる、という課題を有していた。また蛍光管は、通常ガラス材によって形成されているため、バックライト光源として形状の自由度に制限がある、という課題もあった。
【０００４】
これに対して、ＬＥＤを使用したバックライトは、蛍光管に比して低電圧で駆動することができ、また消費電力が少なく、寿命が長い等の優位な性能を備えている。
また３色のＬＥＤを使用したバックライトでは、光の３原色に近い波長から白色光を得るため、従来の冷陰極管に比べて色の自由度が高まるという特徴がある。特に色再現性を大幅に拡大することが可能で、ＮＴＳＣ規格比で１００％を超える色再現性を実現したり、白色点（白の色味）を自由に調整したりすることができるようになる。
【０００５】
ＬＥＤバックライトには、例えば、液晶パネルの背面側に導光板を配置し、その導光板の端部に複数のＬＥＤをアレイ状に配列した導光板方式のものがある。この場合、ＬＥＤアレイから発光した照明光は、導光板を介して液晶パネルを照明する。また導光板と液晶パネルとの間には、照明光に配光特性や輝度分布特性を与えるために、拡散板、プリズムシート、反射偏光板等の光学シート類が適宜配設される。
【０００６】
上記のような導光板方式に対して、液晶パネルの背面側の直下にＬＥＤを配列する直下型のＬＥＤバックライトが提供されている。直下型のＬＥＤバックライトにおいても、ＬＥＤと液晶パネルの間には上記のような光学シート類が適宜配設される。直下型のＬＥＤバックライトは、導光板方式に比して光利用効率が高く、また軽量化が可能であるなどの長所がある。
【０００７】
上記のように、従来の冷陰極管によるバックライトと比較すると、ＬＥＤバックライトでは表示画面の色再現性を向上させることができる、という利点を有している。しかしながら、例えば白色ＬＥＤを使用した構成では、その発光分光特性に起因して十分な色再現性を発揮できない場合がある。例えば、使用されている白色ＬＥＤの一例では、青色や緑色に対応する波長における相対輻射量よりも、赤色に対応する６００〜７５０ｎｍの波長での相対輻射量が低い。このために、上記の白色ＬＥＤでは、赤色に対応する波長帯の輝度が他の色に対応する波長帯の輝度より低くなり、表示装置の色再現性が悪くなる、という問題が生じる。
【０００８】
また、ＲＧＢの３色のＬＥＤを用いた構成では、ＲＧＢのそれぞれを最適な位置に配置する必要があり、アッセンブリが煩雑となっている。またＲＧＢの３色のＬＥＤを利用するため、表示画面の色むらが発現しやすかったり、また各ＬＥＤの発光特性が温度や時間によって変化するため、表示画面の色ズレが生じたりする、という課題がある。
【０００９】
上記のような色再現性の問題に関し、例えば特許文献１には、白色ＬＥＤを利用した光源とともに使用され、赤色光成分や緑色光成分を補うことにより、高輝度かつ標準に近い白色光を得ることが可能な導光板と、その導光板を用いた照明装置等が開示されている。
特許文献１では、光源とともに照明装置として使用される導光板を、光源からの出力光に対して補うべき波長成分に対応する色素を含む材料により構成することで、望ましい分光特性を有する出力光を生成させる。例えば白色ＬＥＤを使用する照明装置において、導光板に緑色や赤色の色素を含めることにより、標準的な白色光に近い出力光を得ることができるようになる。
【００１０】
また特許文献２には、バックライトに用いる白色ＬＥＤの発光特性、及びＬＣＤパネルの発色特性の少なくとも１つに対応した補正を可能にしたＬＣＤパネルの表示制御装置が開示されている。ここではＬＣＤパネルの表示制御装置は、ＬＣＤパネルの各画素毎の入力画像データの値を、白色発光体の発光特性及びＬＣＤパネルの発色特性の少なくとも１つに基づき補正するための補正情報を記憶する。そしてその補正情報に基づき、ＬＣＤパネルの各画素の入力画像データの値を補正し、補正後の入力画像データに基づいてＬＣＤパネルを駆動する電圧を制御する。
【特許文献１】特開２００３−８４１４１号公報
【特許文献２】特開２００６−３７０７号公報
【発明の開示】
【発明が解決しようとする課題】
【００１１】
上述のように白色ＬＥＤ光源を使用したバックライトでは、その発光分光特性に起因して十分な色再現性を発揮できない場合がある。またＲＧＢの３色のＬＥＤを利用する場合であっても、各色の発光にばらつきがあると白色の分光特性が不適正となって色再現性に影響を与え、また各ＬＥＤの発光特性が温度や時間によって変化するため表示画面の色ズレが生じたりする、という課題がある。
【００１２】
一般にバックライトを使用した液晶表示装置における表示画面の色再現性は、バックライト光源の分光特性と、カラーフィルタなどの光学部材における光透過率特性と、液晶パネルの分光特性との３者の特性によって決定されるものといえる。
この場合、白色ＬＥＤもしくは３色のＬＥＤの混色により得られる白色光の分光特性を補正して最適な色再現性を得るために、例えば上記特許文献２のように液晶パネルの入力画像データを補正する手法や、特許文献１のように光学部材としての導光板に色素を含ませてＬＥＤ光源の分光特性を補正する手法をとることが考えられている。
【００１３】
しかしながら、これらのように液晶パネルの入力データを制御する方式や、カラーフィルタ等の光学部材により分光特性を補正する方式では、光源の白色光の分光特性を完全に制御することはできず、所望の色再現性を得るまでには到っていない。
また光学部材により分光特性を補正する方式や、液晶パネルの入力データを制御する方式は、装置の設計上の負荷が大きいという課題もあった。
【００１４】
本発明は、上述のごとき実情に鑑みてなされたもので、ＬＥＤから発光された白色光により液晶パネルを背面から照明するバックライトユニットにおいて、白色光の分光特性を補正する補正手段をバックライト装置に備えることにより、簡易な設計で表示画面の色再現性を最適に調整し、かつ表示画面の色むらを低減できるようにしたバックライトユニットと、該バックライトユニットを備えた画像表示装置とを提供することを目的とする。
【課題を解決するための手段】
【００１５】
上記課題を解決するために、本発明の第１の技術手段は、白色発光体から発光された光により液晶パネルを背面から照明するバックライトユニットにおいて、バックライトユニットは、白色発光体から発光される白色光の分光特性を補正するための補正用発光体を備えたことを特徴としたものである。
【００１６】
第２の技術手段は、第１の技術手段において、補正用発光体が、Ｒ（red），Ｇ(green)，Ｂ（blue），Ｍｇ（magenta），Ｙｅ（yellow），Ｃｙ（cyan）のうちの１または複数を発光する発光体であることを特徴としたものである。
【００１７】
第３の技術手段は、第１の技術手段において、補正用発光体が、バックライトユニットに配置された複数の白色発光体の間に配置されていることを特徴としたものである。
【００１８】
第４の技術手段は、第３の技術手段において、複数の白色発光体が、縦列及び横列よりなるマトリックス状に配置され、縦列及び／または横列において、白色発光体と補正用発光体とが交互に配置されていることを特徴としたものである。
【００１９】
第５の技術手段は、第１の技術手段において、バックライトユニットの点灯時の温度分布に基づいて補正用発光体の設置密度を異ならせたことを特徴としたものである。
【００２０】
第６の技術手段は、第５の技術手段において、バックライトユニットの設置時に下方となる領域から上方となる領域に向かって、補正用発光体の設置密度が段階的にもしくは漸次増加することを特徴としたものである。
【００２１】
第７の技術手段は、第１の技術手段において、バックライトユニットの点灯時の温度分布に応じて、複数の補正発光体のうち点灯する補正用発光体を選択することを特徴としたものである。
【００２２】
第８の技術手段は、第１の技術手段において、バックライト周囲の温度を計測するための温度センサを有し、温度センサによる計測温度に従って、複数の補正発光体のうち点灯する補正用発光体を選択することを特徴としたものである。
【００２３】
第９の技術手段は、第１ないし第９のいずれか１の技術手段において、白色発光体及び補正用発光体は、ＬＥＤであることを特徴としたものである。
【００２４】
第１０の技術手段は、第１ないし第９のいずれか１の技術手段と、バックライトユニットにより照明される液晶パネルとを備え、液晶パネルによりバックライトユニットによる照明光を変調することにより画像表示を行うことを特徴としたものである。
【発明の効果】
【００２５】
本発明によれば、ＬＥＤから発光された白色光により液晶パネルを背面から照明するバックライトユニットにおいて、白色光の分光特性を補正する補正手段をバックライト装置に備えることにより、簡易な設計で表示画面の色再現性を最適に調整し、かつ表示画面の色むらを低減できるようにしたバックライトユニットと、該バックライトユニットを備えた画像表示装置とを提供することができる。
【発明を実施するための最良の形態】
【００２６】
本発明は、白色発光体から発光された光により液晶パネルを背面から照明するバックライトユニットにおいて、その白色発光体から発光される白色光の分光特性を補正するための手段を備えるものである。白色発光体の一例はＬＥＤであり、この場合、白色光を発光する白色ＬＥＤであってもよく、またＲＧＢ３色のＬＥＤの発光を混色して白色光を得るようにしたものであってもよい。また白色ＬＥＤとしては、短波長ＬＥＤに蛍光体を組み合わせて白色を得る方式の白色ＬＥＤや、青色ＬＥＤに蛍光体を組み合わせて白色を得る方式の白色ＬＥＤ、あるいは青色ＬＥＤに黄色の蛍光体を組み合わせて白色を得る方式の白色ＬＥＤ等を適用することができる。
【００２７】
以下に本発明のバックライトユニットを適用可能なＬＥＤバックライトの構成例を説明する。
図１は、直下型のフルＬＥＤバックライトの構成例を説明するための図で、図中、１０はＬＥＤバックライトユニット、１１はＬＥＤ、１２は拡散板、１３は他の光学シート、１４は反射板、１５はＬＥＤバックライトユニットの筐体、１６は液晶パネルである。
図１に示す例では、バックライトユニットの筐体１５の底面側に反射板１４が配置され、その上面側に複数のＬＥＤ１１がマトリックス状に配設されている。ここでは反射板１４に貫通孔を開けて、その貫通孔に個々のＬＥＤ１１を配設することができる。あるいは、ＬＥＤ１１を配設する基板表面に印刷等の手法により反射面を形成し、ＬＥＤ基板に反射板１４の機能を付与するようにしてもよい。
【００２８】
本実施形態のバックライトでは、ＬＥＤ１１は白色光を生成するための白色ＬＥＤと、白色ＬＥＤの分光特性を補正するための補正用ＬＥＤとから構成されている。白色ＬＥＤは、単体で白色光を発生するものであってもよく、あるいはＲＧＢの単色ＬＥＤの集合体であってもよい。これら白色ＬＥＤと補正用ＬＥＤとの配置の具体例は後述する。
【００２９】
またＬＥＤを点灯制御するためのＬＥＤ点灯回路，調光制御部，ＬＥＤ点灯回路等からなる図示しない各種電気回路部品は、バックライトユニットの背面にまとめて配置されるが、その詳細な位置関係については特に限定されるものではない。
【００３０】
ＬＥＤ１１から発光した光は、拡散板１２により拡散され、さらに他の光学シート類１３で所定の作用を受けて液晶パネル１６を背面側から照明する。上記他の光学シート類１３は、例えば、プリズムシートや反射偏光板等の光学シートが適宜用いられる。
液晶パネル１６は、入力する映像信号に応じて各画素の液晶の配向が制御され、ＬＥＤ１１から発光した照明光を変調する。これにより液晶パネル１６上に映像信号に応じた映像が表示される。
【００３１】
図２は、ハイブリッド型のバックライトユニットの構成例を説明するための図で、図中、１７は蛍光管（ＣＣＦＬ）である。ハイブリッド型のバックライトユニットにおいては、ＬＥＤ１１に加えて、複数の蛍光管１７による線状光源を同時に点灯させる。ハイブリッド型のバックライトユニットにおいては、従来の蛍光管のみによる構成に加えて、ＬＥＤを併用して配置することにより、従来に比べて色再現性が拡大され、品位の高い映像を表示することができる。
【００３２】
図２の構成例では、蛍光管１７は、その管軸方向が互いに平行になるように配置され、ＬＥＤ１１は蛍光管１７の間に位置するように配設される。その他の構成については上記図１と同様であるため、繰り返しの説明は省略する。
【００３３】
さらに本発明は、上記のような直下型のバックライトユニットのみならず、導光板の端部にＬＥＤを配置した導光板方式のバックライトユニットに適用することも可能である。
【００３４】
そして本発明に関わるバックライトユニットの実施形態では、上述のように白色ＬＥＤもしくは３色の単色ＬＥＤにより得られる白色光の分光特性を補正するための補正用ＬＥＤを備える。白色ＬＥＤが本発明の白色発光体に該当し、補正用ＬＥＤが本発明の補正用発光体に該当する。
【００３５】
そして補正用ＬＥＤの発光により白色光の分光特性を補正し、最適な色再現性を達成できる分光特性が得られるようにする。このときに補正用発光体を備えたバックライトユニットに加えて、上記のような光学部材による分光特性の補正や、液晶パネルへの入力データを制御する処理を行ってもよいが、この場合にも、光学部材や液晶パネルにおける補正量を少なく抑えることができ、効率よく白色光の分光特性を補正することができるようになる。
【００３６】
図３は、白色ＬＥＤと補正用ＬＥＤの配置例を説明するための図で、図中、１１ａは白色ＬＥＤ、１１ｂは補正用ＬＥＤである。図示するように、本例では縦横にマトリックス上に配列した白色ＬＥＤ１１ａの間に補正用ＬＥＤ１１ｂが配置される。白色ＬＥＤ１１ａは、上述のように単体で白色を発光するＬＥＤであってもよく、またＲＧＢ３色の単色ＬＥＤの集まりであってもよい。
【００３７】
また補正用ＬＥＤ１１ｂは、白色ＬＥＤ１１ａの分光特性を効果的に補正できるように、特定の発光波長域をもつＬＥＤを使用する。例えば、Ｒ（red），Ｇ(green)，Ｂ（blue）のいずれかに対応する発光波長域をもつＬＥＤであってもよく、またＲＧＢの補色であるＭｇ（magenta），Ｙｅ（yellow），Ｃｙ（cyan）のいずれかに対応する発光波長域をもつＬＥＤであってもよい。またこれらの複数の種類のＬＥＤを組み合わせたものであってもよい。
【００３８】
このような構成により、白色ＬＥＤの分光特性を補正用ＬＥＤの発光により補正し、最適な色再現性が得られる分光特性をもった照明光をバックライトユニットから出射させることができる。
【００３９】
図４は、白色ＬＥＤと補正用ＬＥＤの配置の他の例を説明するための図である。図４の配置例では、縦列と横列のそれぞれにおいて、白色ＬＥＤ１１ａと補正用ＬＥＤ１１ｂとを交互に並べ、これらの縦列と横列によってマトリクス状のＬＥＤ配置構成が形成されるようにしている。このような構成では、縦列と横列よりなるマトリクス状のＬＥＤ配置において、縦及び横の各列において白色ＬＥＤ１１ａと補正用ＬＥＤ１１ｂとが交互に配置されているため、発熱の大きい白色ＬＥＤ１１ａからの放熱を分散させて局所的な温度上昇をより抑制することができる。
【００４０】
図５は、白色ＬＥＤと補正用ＬＥＤの配置の更に他の例を説明するための図である。本例の場合は、マトリクス状配列を構成する縦列と横列において、一つの縦列については白色ＬＥＤ１１ａのみ、もしくは補正用ＬＥＤ１１ｂのみにより構成し、白色ＬＥＤ１１ａを使用した縦列と補正用ＬＥＤ１１ｂを使用した縦列とが横方向に交互に並ぶように配置されている。またこの他、横列を白色ＬＥＤ１１ａまたは補正用ＬＥＤ１１ｂのみで構成し、これらが縦方向に交互に並ぶようにしてもよい。
【００４１】
図６は、白色ＬＥＤと補正用ＬＥＤの配置の更に他の例を説明するための図である。本例の場合は、バックライトユニットのＬＥＤ設置領域において、補正用ＬＥＤ１１ｂの設置密度が場所によって異なる構成となっている。ここでは例えば、バックライトユニットの点灯時の温度分布に応じて補正用ＬＥＤ１１ｂの設置密度を異ならせることができる。
【００４２】
例えば、液晶パネルとバックライトユニットとを備えた薄型表示装置ではその電源を投入することで電力消費による熱が発生する。例えば電気基板ではＩＣその他の電気部品より熱が発生し、バックライトではＬＥＤ等の光源の点灯により熱が発生する。また液晶パネルでは液晶駆動制御により熱が発生する。そして発生した熱は、バックライトユニットと液晶パネルとの間の空間を下から上に向かって上昇する。
【００４３】
この場合ＬＥＤの温度が上昇してその発光特性のバランスが悪くなってしまう。このような熱による不具合は、上記のような理由で薄型表示装置の上方の領域に発生しやすい。
このような温度上昇による発光バランスの不具合を解消するために、バックライトユニットの点灯時の温度分布に応じて補正用ＬＥＤ１１ｂの設置密度を異ならせるようにする。
【００４４】
すなわちこの場合、バックライトユニットの上方領域に補正用ＬＥＤ１１ｂを多く配置させ、下方領域には補正用ＬＥＤ１１ｂを配置しないか、あるいは上方領域の配置密度よりも少ない密度で配置する。これにより温度上昇によって変動した白色ＬＥＤの分光特性を効率的に補正することができる。
なお補正用ＬＥＤ１１ｂの設置密度を異ならせる場合、例えばバックライトユニットの設置時に下方となる領域から上方となる領域に向かって、補正用ＬＥＤ１１ｂの設置密度が段階的に増大していくようにしてもよく、また漸次増加するように構成してもよい。
【００４５】
また他の実施形態では、温度分布に応じて補正用ＬＥＤ１１ｂの設置密度を異ならせるのではなく、設置した複数の補正用ＬＥＤ１１ｂのうち、点灯する補正用ＬＥＤ１１ｂを温度分布に応じて選択するようにしてもよい。
この場合、例えば図３〜図５に示すような配置で白色ＬＥＤ１１ａと補正用ＬＥＤ１１ｂを配設しておき、バックライトユニットの点灯時の温度分布に応じて点灯させる補正用ＬＥＤ１１ｂを選択する。例えば上記の薄型表示装置の例では、温度上昇の大きい上側領域の補正用ＬＥＤ１１ｂを点灯させるようにする。このときに予め設置しておく補正用ＬＥＤ１１ｂは、白色ＬＥＤ１１ａの温度上昇時の分光特性を補正できるように発光波長域とその強度が設定されているものとする。
【００４６】
またバックライトユニットの温度分布に応じて点灯させる補正用ＬＥＤ１１ｂを選択する場合、バックライトユニット周囲の温度を計測するための温度センサを設け、その温度センサによる計測温度に従って、点灯する補正用ＬＥＤ１１ｂを選択するようにしてもよい。
【００４７】
次にＬＥＤよる分光特性の補正特性について説明する。
図７は、白色ＬＥＤと補正用ＬＥＤとを使用したバックライトの総合分光特性を説明するための図である。図７において、Ｃ1は白色ＬＥＤによるバックライトの分光特性、Ｃ2は補正用ＬＥＤで補正したときのバックライトの分光特性である。
【００４８】
バックライトユニットが備える白色ＬＥＤを発光させたときに、バックライトユニットからの出射光の分光特性がＣ1のような特性であるものとする。このような分光特性Ｃ1を補正して、より色再現性の良い分光特性とするために、例えば青色に対応する発光波長領域をもつ補正用ＬＥＤにより分光特性を補正したものとする。このときのバックライトユニットからの発光光の分光特性は、分光特性Ｃ1に対して青色波長域の相対光度が持ち上げられた分光特性Ｃ2となる。このときに補正用ＬＥＤによる発光が影響しない波長域では、分光特性はＣ1のままとなる。この場合、補正用ＬＥＤは、白色ＬＥＤによる白色光の分光特性を補正して最適な色再現性の分光特性が得られるように、その発光特性が設定されるものとする。
【００４９】
図８は、液晶パネルが備えるカラーフィルタの分光特性の一例を示す図で、図９は補正用ＬＥＤを用いて補正した光がカラーフィルタを通過した後の分光特性（透過率特性）を示す図である。
周知のようにカラーフィルタは、液晶パネルの画素に対応させて赤色 (Ｒ)・緑色 (Ｇ)・青色(Ｂ) の光を透過させる着色層を配置してなる。そして各画素の通過光をＲ、Ｇ、Ｂに着色することができ、これにより液晶パネルにおけるカラー表示が実現する。
【００５０】
白色光を通過させたときのカラーフィルタの透過率特性は、図８に示すような特性となる。そして図７に示すように青色に対応する発光波長域を有する補正用ＬＥＤにより白色ＬＥＤの分光特性を補正した場合、カラーフィルタを通過した後の光の分光特性は、図９に示すようになる。図９において分光特性Ｃ3に示す部分が、補正用ＬＥＤによって補正された分光特性となる。
【００５１】
このように、本実施形態では予め設置した補正用ＬＥＤを発光させることより、白色光の分光特性を補正し、最適な色再現性が達成できる分光特性を得ることができるようになる。
【００５２】
図１０は、本発明のバックライトユニットを備えた画像表示装置の構成例を説明するためのブロック図で、画像表示装置として構成された液晶テレビジョン受像機の例を示すものである。本例では、液晶テレビジョン装置が備える液晶パネル（ＬＣＤ）の照明用として、上記実施形態で説明したごとくのＬＥＤバックライトユニットを適用したものとする。
【００５３】
テレビジョン受像機２０において、チューナ２２は、アンテナ２１によって受信されたテレビジョン放送信号からチャンネルを選局する。また外部入力端子２３は、テレビジョン受像機２０に内蔵もしくは外部接続されたＡＶ機器からの映像／音声信号を入力する。そして切換部２４において、チューナ２２で選局されたテレビジョン放送信号と外部入力端子２３を介して入力した映像／音声信号とを切換出力する。
【００５４】
切換部２４から出力された映像信号は映像処理部２５で映像処理され、ＬＣＤ制御部２６に出力される。映像処理部２５は、入力した映像信号に対して各種の画質調整処理等を行い、画像表示信号を生成する。映像処理部２５は、コンポジット信号のＹＣ分離処理、ＹＣ信号からＲＧＢ信号を生成するＲＧＢ信号デコード処理、ＡＤ変換処理、色空間変換処理、ＩＰ変換処理、スケーリング処理、ＦＲＣ処理、色補正処理、同期検出処理、γ補整処理、ＯＳＤ表示処理等の映像信号処理を適宜実行する。
【００５５】
ＬＣＤ制御部２６は、映像処理部２５から出力されたＲＧＢの画像表示信号に従って液晶パネル（ＬＣＤ）２７のソースドライバに出力する階調データ及び信号線制御信号を生成するとともに、ゲートドライバに出力する走査線制御信号を生成し、液晶パネル２７における画像表示制御を行う。またＬＣＤ制御部２６は、光源駆動部２８へ出力するバックライト制御信号を生成し、ＬＥＤバックライト２９の発光駆動制御を行う。ＬＥＤバックライト２９には、例えば上述した実施形態のＬＥＤバックライトユニット１０を適用することができる。
光源駆動部２８は、図示しない電源回路から供給される電力を使用して、ＬＥＤバックライト２９の点灯駆動制御を実行する。
【００５６】
またテレビジョン受像機２０において、切換部２４から出力された音声信号は、音声処理部３０で増幅処理されてスピーカ３１から音声出力される。
またリモコン受光部３２は、リモコン装置４０から送信された赤外線によるリモコン操作信号を受光し、制御部３３へ送る。制御部３３は、リモコン受光部３２で受光したリモコン操作信号を検出・解析し、チューナ２２、切換部２４、映像処理部２５、ＬＣＤ制御部２６、音声処理部３０等に対してそれらの動作を制御する制御信号を出力する。ここではメモリ３４に記憶されたプログラムやデータが使用される。またテレビジョン受像機２０に対するユーザによる操作入力は、上記リモコン装置４０だけでなく、液晶テレビジョン受像機２０の本体操作部に設けられた操作キーやスイッチを用いて実行することもできる。
【００５７】
なお、本発明に関わる画像表示装置は、上記の液晶テレビジョンに限定されることはなく、液晶パネルを背面から照明して表示画像を生成する構成を有する種々の画像表示装置に適用することができる。
【図面の簡単な説明】
【００５８】
【図１】直下型のフルＬＥＤバックライトの構成例を説明するための図である。
【図２】ハイブリッド型のバックライトユニットの構成例を説明するための図である。
【図３】白色ＬＥＤと補正用ＬＥＤの配置例を説明するための図である。
【図４】白色ＬＥＤと補正用ＬＥＤの配置の他の例を説明するための図である。
【図５】白色ＬＥＤと補正用ＬＥＤの配置の更に他の例を説明するための図である。
【図６】白色ＬＥＤと補正用ＬＥＤの配置の更に他の例を説明するための図である。
【図７】白色ＬＥＤと補正用ＬＥＤとを使用したバックライトの総合分光特性を説明するための図である。
【図８】液晶パネルが備えるカラーフィルタの分光特性の一例を示す図である。
【図９】補正用ＬＥＤを用いて補正した光がカラーフィルタを通過した後の分光特性（透過率特性）を示す図である。
【図１０】本発明のバックライトユニットを備えた画像表示装置の構成例を説明するためのブロック図である。
【符号の説明】
【００５９】
１０…ＬＥＤバックライトユニット、１１…ＬＥＤ、１１ａ…白色ＬＥＤ、１１ｂ…補正用ＬＥＤ、１２…拡散板、１３…光学シート類、１４…反射板、１５…筐体、１６…液晶パネル、１７…蛍光管、２０…テレビジョン受像機、２１…アンテナ、２２…チューナ、２３…外部入力端子、２４…切換部、２５…映像処理部、２６…ＬＣＤ制御部、２７…液晶パネル、２８…光源駆動部、２９…ＬＥＤバックライト、３０…音声処理部、３１…スピーカ、３２…リモコン受光部、３３…制御部、３４…メモリ、４０…リモコン装置。
【図１】
2008097896.tif 000003
【図２】
2008097896.tif 000004
【図３】
2008097896.tif 000005
【図４】
2008097896.tif 000006
【図５】
2008097896.tif 000007
【図６】
2008097896.tif 000008
【図７】
2008097896.tif 000009
【図８】
2008097896.tif 000010
【図９】
2008097896.tif 000011
【図１０】
2008097896.tif 000012